(57)【要約】【課題】本発明は、靴下や手袋あるいはハンカチなど小物の洗濯時の散乱を防止し、洗濯後の分類を容易にし、被洗濯物の布地を傷める心配が少なく、嵩張らない、靴下及び小物洗濯用保持ネットを提供する。【解決手段】ネット材を左右が開口した縦に長い筒状にし、左右の開口部のそれぞれに一周するように紐を通し、筒状のネット本体部を部分的に接合することにより靴下や小物などの被洗濯物を収容可能な筒部を複数形成し、ネット本体部を吊り下げる吊下部を取り付け、筒部に被洗濯物を入れネット本体部左右の紐を絞って被洗濯物を保持することを特徴とする靴下及び小物洗濯用保持ネット。【選択図】図１
2010269098.tif 000002
【特許請求の範囲】
【請求項１】
ネット材を左右が開口した縦に長い筒状にし、左右の開口部のそれぞれに一周するように紐を通し、筒状のネット本体部を部分的に接合することにより靴下や小物などの被洗濯物を収容可能な筒部を複数形成し、ネット本体部を吊り下げる吊下部を取り付け、筒部に被洗濯物を入れネット本体部左右の紐を絞って被洗濯物を保持することを特徴とする靴下及び小物洗濯用保持ネット。
【請求項２】
ネット本体部を吊り下げるための二以上の輪状の吊下部を有することを特徴とする請求項１記載の靴下及び小物洗濯用保持ネット。
【請求項３】
紐を伸縮性のあるゴム紐にして予め絞った状態で形成する請求項１または２記載の靴下及び小物洗濯用保持ネット。
【発明の詳細な説明】
【技術分野】
【０００１】  本発明は、ネット材により筒状に形成し、二つ一組の靴下や手袋あるいはハンカチなど小物の被洗濯物を入れ左右の筒口を絞り保持して洗濯することで、被洗濯物の散乱を防止し、洗濯後の分類を容易にし、被洗濯物の布地を傷める心配が少なく、嵩張らない、靴下及び小物洗濯用保持ネットに関するものである。
【背景技術】
【０００２】  一般に、靴下や手袋をそのまま洗濯するとバラバラになりやすく組を揃えるのに手間がかかる。また、ハンカチなど小物をそのまま洗濯すると他の洗濯物に絡まったり紛れたりしやすい。【０００３】  従来の技術によると、このような不具合を解消するために、紐状本体と締付手段からなる洗濯用小物保持具（特許公開平１０−１０８９９１）、紐状本体と締付部とからなる洗濯用小物保持具（特許公開平１１−１３７８８９）、保持シート本体に設けられた開口部に洗濯用小物を挿入することができる洗濯用小物保持シート（特許公開２０００−１０７４８７）、合成樹脂製板材に形成されたスリットで小物を保持する洗濯小物保持具（特許公開２００３−１２６５８６）、心材とベルトで靴下を束ねる靴下対保持ベルト（特許公開２００４−２９８５８４）、靴下の対保持ばさみ（特許公開平１０−２９５９９１）などが開示されている。
【先行技術文献】
【特許文献】
【０００４】
【特許文献１】特許公開平１０−１０８９９１
【特許文献２】特許公開平１１−１３７８８９
【特許文献３】特許公開２０００−１０７４８７
【特許文献４】特許公開２００３−１２６５８６
【特許文献５】特許公開２００４−２９８５８４
【特許文献６】特許公開平１０−２９５９９１
【発明の概要】
【発明が解決しようとする課題】
【０００５】  しかし、上述した特許文献１、特許文献２、特許文献３、特許文献４、特許文献５、特許文献６で開示される発明はいずれも次のような問題点があった。
（イ）第一に、被洗濯物を締め付けたり挟んだりするため、繰り返し使用すると布地が        傷む可能性がある。
（ロ）第二に、多少なりとも素材が嵩張る。
本発明は、以上の問題点を解決しようとするものである。
【課題を解決するための手段】
【０００６】  ネット材を左右が開口した縦に長い筒状にし、左右の開口部のそれぞれに一周するように紐を通し、筒状のネット本体部を部分的に接合することにより靴下や小物などの被洗濯物を収容可能な筒部を複数形成し、ネット本体部を吊り下げる吊下部を取り付ける。そして、筒部に被洗濯物を入れ、ネット本体部左右の紐を絞って被洗濯物を保持する。以上を特徴とする靴下及び小物洗濯用保持ネットである。
【発明の効果】
【０００７】  本発明は、ネット材と紐で構成されるため、嵩張らず、被洗濯物を痛める心配が少ない。【０００８】  また、素材と構成が極めて単純であるため、低コストで製作することが可能である。【０００９】  さらに、筒状であるため、筒の左右の開口部どちらからでも被洗濯物を入れやすく取り出しやすい。【００１０】  そして、吊り下げられるので、脱いだ直後で湿気のこもった靴下を入れて吊り下げ通気しておけば雑菌の繁殖を軽減することもできる。【００１１】  靴下を脱いだ直後に揃えて入れておけば、洗濯の際にいちいち組を揃える手間が省ける。
【図面の簡単な説明】
【図１】本発明の実施形態に係る斜視図
【図２】本発明の使用状態を示す説明図
【図３】本発明の他の使用状態を示す説明図
【図４】本発明の他の実施形態に係る斜視図
【発明を実施するための形態】
【実施例１】
【００１２】  以下、本発明の実施の形態を説明する。本発明の構造を、図１を利用して説明する。
（イ）ネット材を左右が開口した縦に長い筒状に接合する。接合の仕方としては、縫合        や紐で綴る方法などがある。そして、左右の開口部のそれぞれに一周するように        紐（２）を通す。紐（２）の通し方としては、ネット材の左右の端を内側に折り        返して重なった部分の網目を縫うように紐（２）をくぐらせて一周する方法や、        ネット材の左右の端を内側に折り返して縫合し紐（２）を通せる部分を作ってか        ら、その中に紐（２）を通す方法などがある。
（ロ）筒状のネット本体部（１）を部分的に接合することにより靴下や小物などの被洗        濯物を収容可能な筒部（１ａ）（１ｂ）（１ｃ）（１ｄ）（１ｅ）を複数（例示        は五つ）形成し、ネット本体部を吊り下げる吊下部（３）を取り付ける。
本発明は、以上の構成よりなっている。【００１３】  以下、本発明の使用状態を、図２及び図３を利用して説明する。
（イ）筒部（１ａ）（１ｂ）・・・に靴下（４）などの被洗濯物を入れると図２に示す        状態となる。吊下部（３）にフックなどを通して吊り下げることもできる。
（ロ）ネット本体部（１）の左右の紐（２）を下へ引っ張りながらネット本体部（１）        全体を上へ押し上げると筒部（１ａ）（１ｂ）・・・の開口部を絞った状態にな        り図３に示す状態となる。これにより被洗濯物が保持される。保持状態を保つた        めには、ネット本体部（１）の下で紐（２）を結んで留める方法や、紐（２）に        予め係止具を取り付けておき、それにより留める方法などがある。
図３の状態で洗濯機に投入して洗濯を行う。あるいは、図３の状態のものを別の洗濯ネットに入れた上で洗濯機に投入してもよい。
靴下（４）などの被洗濯物が保持されているので、洗濯中に被洗濯物が散乱することを防ぎ、洗濯機から取り出すことも容易になり、干す時に靴下などの組を揃える手間が省ける。【００１４】  以上、基本的な実施形態について説明したが、本発明は、このような実施形態に限定されるものではなく、本発明の要旨を逸脱しない範囲で、任意に変更や追加または削除することができる。例えば、筒部（１ａ）（１ｂ）・・・の数を増減したり、あるいは、図２や図３の例示では靴下（４）などの被洗濯物が左右からはみ出しているが、はみ出さずに収まる横幅にしたりすることもできる。
【実施例２】
【００１５】  以下、本発明の他の実施形態を、図４を利用して説明する。
図１及び図２及び図３で示している紐（２）の替わりに伸縮性のあるゴム紐（５）を通して絞り、輪の状態にして結ぶ。ゴム紐（５）の伸縮性により、筒部（１ａ）（１ｂ）・・・の開口部を予め絞った状態で形成したものが図４である。開口部が伸縮するので、被洗濯物を入れるだけで保持される。
【符号の説明】
【００１６】    １  ネット本体部
１ａ  筒部
１ｂ  筒部
１ｃ  筒部
１ｄ  筒部
１ｅ  筒部
２  紐
３  吊下部
４  靴下
５  ゴム紐
【図１】
2010269098.tif 000003
【図２】
2010269098.tif 000004
【図３】
2010269098.tif 000005
【図４】
2010269098.tif 000006